【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
カラー画像を表示するためのカラーディスプレイ装置であって、前記カラーディスプレイ装置は、
前記カラー画像を表示するための、それぞれが駆動信号によって制御可能な、複数の画像要素を備えたディスプレイパネルと、
第１の期間の間第１のスペクトルを、及び第２の期間の間前記第１のスペクトルとは異なる第２のスペクトルを、前記複数の画像要素に供給することが可能な光源と、
前記カラー画像を表す情報を処理するためのビデオ処理手段と、
を有し、前記ビデオ処理手段は、前記複数の画像要素に、前記情報からの前記駆動信号を供給するように構成され、前記駆動信号は、前記第１のスペクトルを用いて前記第１の期間の間前記複数の画像要素を駆動するための原色駆動信号の第１のセットと、前記第２のスペクトルを用いて前記第２の期間の間前記複数の画像要素を駆動するための原色駆動信号の第２のセットとを有し、前記ビデオ処理手段は、
前記カラーディスプレイ装置における電気光学クロストーク効果を低減するための手段であって、前記光源のスペクトルの１つ以上のパラメータに依存して前記複数の画像要素のそれぞれに対する前記駆動信号を変更するように構成された電気光学クロストーク効果を低減するための手段を有する、カラーディスプレイ装置。
【請求項２】
前記光源のスペクトルの１つ以上のパラメータは、前記光源の時間的特性を有する、請求項１に記載のカラーディスプレイ装置。
【請求項３】
前記光源の時間的特性は、前記光源において利用される個々の蛍光体の蛍光体減衰時間、ランプ走査モードで動作する場合にはバックライトにおける空間−時間光学クロストーク、又はディスプレイのアドレシングに関連する特定のランプタイミングを有する、請求項２に記載のカラーディスプレイ装置。
【請求項４】
前記電気光学クロストーク効果を低減するための手段は、前記第１の期間の間、前記第１のスペクトルに関連する１つ以上の特性に依存して前記駆動信号を変更し、前記第２の期間の間、前記第２のスペクトルに関連する１つ以上の特性に依存して前記駆動信号を変更する、請求項１に記載のカラーディスプレイ装置。
【請求項５】
前記カラーディスプレイ装置は、サブフレーム毎に２つの出力を供給する、前記駆動信号を変更するための２次元ルックアップテーブルを有する、請求項１又は２に記載のカラーディスプレイ装置。
【請求項６】
前記ルックアップテーブルの内容は個々の色チャネル毎に異なる、請求項５に記載のカラーディスプレイ装置。
【請求項７】
前記ルックアップテーブルは、測定された物理的なクロストークの逆マッピングを有する、請求項５又は６に記載のカラーディスプレイ装置。
【請求項８】
前記ディスプレイ装置において使用される前記電気光学クロストーク効果を低減するための手段は、前記カラー画像の対応する情報の平均の明るさに比例する、前記第１及び第２の期間に亘る平均の明るさを画像要素から実質的に取得するように前記駆動信号を変更する、請求項１又は２に記載のカラーディスプレイ装置。
【請求項９】
前記ディスプレイ装置において使用される前記電気光学クロストーク効果を低減するための手段は、前記カラー画像の対応する情報の平均の色彩度に比例する、前記第１及び第２の期間に亘る平均の色彩度を画像要素から実質的に取得するように前記駆動信号を変更する、請求項１乃至８のいずれか一項に記載のカラーディスプレイ装置。
【請求項１０】
前記カラーディスプレイ装置の色チャネルのそれぞれについて前記ディスプレイ装置の前記電気光学クロストーク効果を低減するための手段を有する、請求項１乃至９のいずれか一項に記載のカラーディスプレイ装置。
【請求項１１】
前記カラーディスプレイ装置の前記色チャネルのうちの１つについて前記ディスプレイ装置の前記電気光学クロストーク効果を低減するための前記手段は、前記第１及び第２の期間について前記変更された駆動値についての第１及び第２の値を算出し、それぞれ前記第１及び第２の期間の間に、前記変更された駆動値についての前記第１及び第２の値が前記画像要素に適用されるように遅延手段が前記電気光学クロストーク効果を低減するための手段の後に配置された、請求項１０に記載のカラーディスプレイ装置。
【請求項１２】
前記電気光学クロストーク効果を低減するための手段は、現在の前記第１の期間の駆動値を変更するため前の第２の期間の駆動値を含み、前記電気光学クロストーク効果を低減するための手段は、前記第２の期間の駆動値を変更するため前記第１の期間の駆動値を含む、請求項１又は２に記載のカラーディスプレイ装置。
【請求項１３】
前記電気光学クロストーク効果を低減するための手段は、現在の前記第１の期間の駆動値を変更するため前の第２の期間の実際の出力駆動値を含み、前記電気光学クロストーク効果を低減するための手段は、前記第２の期間の駆動値を変更するため前記第１の期間の実際の出力駆動値を含む、請求項１２に記載のカラーディスプレイ装置。
【請求項１４】
前記駆動信号は、前記第１及び第２の期間の間、前記画像要素の光透過率を制御する、請求項１乃至６のいずれか一項に記載のカラーディスプレイ装置。
【請求項１５】
カラー画像を表示するためのカラーディスプレイ装置のディスプレイパネルを駆動するための回路であって、前記ディスプレイパネルは、前記カラー画像を表示するための複数の画像要素を有し、前記画像要素のそれぞれは、前記回路からの駆動信号により制御可能であり、
前記回路は、前記カラー画像を表す情報を処理するためのビデオ処理手段を有し、前記ビデオ処理手段は、前記複数の画像要素に、前記情報からの前記駆動信号を供給するように構成され、前記駆動信号は、前記第１のスペクトルを用いて前記第１の期間の間前記複数の画像要素を駆動するための原色駆動信号の第１のセットと、前記第２のスペクトルを用いて前記第２の期間の間前記複数の画像要素を駆動するための原色駆動信号の第２のセットとを有し、
前記ビデオ処理手段は、前記ディスプレイパネルにおける電気光学クロストーク効果を低減するための少なくとも１つの手段を有し、前記電気光学クロストーク効果を低減するための手段は、前記ビデオ処理手段において、第１の選択可能なスペクトルと前記第１のスペクトルとは異なる第２の選択可能なスペクトルとを供給することが可能な前記ディスプレイパネルの光源からのスペクトルのパラメータに依存して、前記複数の画像要素に対する前記駆動信号を変更するように構成され、前記光源は、前記第１又は前記第２のスペクトルの光を前記複数の画像要素に供給することが可能であり、制御手段が、第１の期間及び第２の期間の間、それぞれ前記スペクトルの一方を交互に前記複数の画像要素に供給する回路。
【請求項１６】
請求項１に記載のラーディスプレイ装置における電気光学クロストーク効果の影響を低減する方法であって、
ビデオ処理手段において、前記カラーディスプレイ装置の前記光源のスペクトルの１つ以上のパラメータに依存して、複数の画像要素に対する駆動信号を変更するステップを有する方法。
【請求項１７】
カラー画像を表示するための、請求項１に記載のカラーディスプレイ装置における電気光学クロストーク効果の影響を低減するためのコンピュータプログラムを実装したコンピュータ読み取り可能な媒体であって、前記コンピュータプログラムはコンピュータによる処理のためのものであり、前記コンピュータプログラムは、
ビデオ処理手段において、前記カラーディスプレイ装置の光源のスペクトルの１つ以上のパラメータに依存して、複数の画像要素に対する駆動信号を変更するためのコードセグメントを有する、コンピュータ読み取り可能な媒体。
【請求項１８】
請求項１６に記載の方法を実行することを可能とする、請求項１７に記載のコンピュータプログラム。